(57)【要約】【課題】新旧遊技盤の入替え毎に、前扉を含むパチンコ機前面において斬新で統一感のある装飾効果を発揮でき、また、遊技盤入替えの際の前扉との配線等の現場作業が極めて簡単なパチンコ機を提供する。【解決手段】パチンコ機本体１と、この本体１に取り付けられる遊技盤２と、この遊技盤２の盤面２ａを開閉する前扉３とを備えるパチンコ機において、前扉３を、遊技盤２にその盤面２ａを開閉自在に一体に取り付け、この前扉３が取り付けられた遊技盤２を、本体１に着脱自在に取り付ける構成とする。新旧遊技盤の入替え時には、遊技盤２と共に前扉３も必ず入れ替えられることになるので、前扉３と遊技盤２の意匠は容易に合わされ、相互間の配線も出荷前に行える。【選択図】        図１
2004188079.tif 000002
【特許請求の範囲】
【請求項１】
パチンコ機本体と、この本体に取り付けられる遊技盤と、この遊技盤の盤面を開閉する前扉とを備えるパチンコ機において、前記前扉が、前記遊技盤に該遊技盤の盤面を開閉自在に一体に取り付けられ、この前扉が取り付けられた遊技盤が、前記パチンコ機本体に着脱自在に取り付けられることを特徴とするパチンコ機。
【請求項２】
請求項１に記載のパチンコ機において、前扉に電気部品が取り付けられ、遊技盤に搭載された制御装置と前記電気部品とを接続可能な長さに設定された配線手段が、前記制御装置若しくは電気部品、又は制御装置及び電気部品相互間に予め接続されたことを特徴とするパチンコ機。
【発明の詳細な説明】
【０００１】
【発明の属する技術分野】
本発明は、遊技盤がパチンコ機本体に着脱自在の、いわゆる分離式のパチンコ機に関するものである。
【０００２】
【従来の技術】
パチンコ機は、図３に示すように、本体枠１ａに遊技球の発射装置（ハンドル１ｂのみ図示）や受け皿１ｃ等が取り付けられてなるパチンコ機本体（以下、本体と略記する。）１と、この本体１に取り付けられた遊技盤２と、この遊技盤２の盤面２ａを開閉自在（矢印イ参照）に覆う前扉３とを備えてなる。当初、パチンコ機の遊技盤２は、一旦、本体１に取り付けられると取外しのきかない固定式に構成されていたが、近年は、分離式、つまり矢印ロ，ハに示すように、本体１に対して着脱自在に構成されるようになってきた（例えば、特許文献１参照）。本体１は継続して使い、遊技盤２は新規なものを使うというようにすれば、機種入替え時のコスト低減や、本体１の再利用による省資源化が図れるからである。
【０００３】
【特許文献１】
特開平１−１７１５８５号公報（第３頁左下欄）
【０００４】
【発明が解決しようとする課題】
しかしながら上記従来技術では、次のような問題点があった。
すなわち、遊技盤２の盤面２ａや前扉３の枠部前面（前扉枠部前面）３ａには、遊技者を引寄せあるいは楽しませるために、種々の意匠や電飾等が施される。そして、これら盤面２ａ及び前扉枠部前面３ａに施される意匠や電飾等、特に意匠は、同盤面２ａと前扉枠部前面３ａとの間で統一性をもたせるというように、何らかの意図的な整合性をもたせるのが通常である。例えば、形、色あるいは模様等を揃えて、例えばハート形に図案２ｂ，３ｂを揃えて施される。
【０００５】
しかし、機種入替え（矢印ロ，ハ参照）される新たな遊技盤２′の盤面２ａ′の意匠は、旧機種の意匠とは大きく異なるのが通例である。このため、新たな遊技盤２′の盤面２ａ′の意匠と、本体１に取り付けられたままの前扉３の枠部前面３ａの意匠との間で不整合が生じる。
図３に示す例では、新たな遊技盤２′の盤面２ａ′には星形の図案２ｂ′が施されているのに対して、前扉３の枠部前面３ａの意匠は以前からのハート形の図案３ｂのままというように、不整合が生じ、パチンコ機前面から見た意匠全体としては、統一性ないし整合性がなくなるという問題点があった。
この問題点は、前扉枠部前面３ａに施す意匠を汎用性のあるものにすればある程度解消されるが、この方法では、入れ替えされる新たな遊技盤２′の盤面２ａ′の意匠が斬新なものになっても、前扉枠部前面３ａの意匠は陳腐なままになるという新たな問題点が生じた。
【０００６】
また、前扉枠部前面３ａに電飾やスピーカ等の電気部品が取り付けられる場合には、それら電気部品への電源や信号は、通常、遊技盤２に搭載された制御装置（図示せず）から与えられる。そこで、前扉３及び遊技盤２相互間に配線が施されるが、遊技盤２の配線端子位置（必要とする配線長さ）や電気的な仕様は新旧機種（遊技盤２，２′）間において常に同じであるとは限らず、したがって、配線の長さや電気的な仕様が新旧機種間で異なることも少なくない。
このような場合には、機種入替え（新旧遊技盤交換）の都度、本体１の設置現場、つまり遊技場で配線の変更、接続作業や電気的な仕様を整合させるための作業をしなければならず、機種入替え時における現場作業が面倒になるという問題点もあった。
【０００７】
本発明は、上記従来技術の問題点を解消するためになされたもので、機種入替えに伴い、遊技盤の盤面と前扉の枠部前面との間において、意匠や電気部品等、装飾・演出効果を高めるための種々の要素の選択幅を大きくとることができ、したがって機種入替え毎に、パチンコ機前面において斬新で統一性ないし整合性のとれた装飾・演出効果を発揮でき、また、機種入替え時における配線等の現場作業が極めて簡単になるパチンコ機を提供することを目的とする。
【０００８】
【課題を解決するための手段】
上記目的を達成するために、請求項１に記載の発明は、パチンコ機本体と、この本体に取り付けられる遊技盤と、この遊技盤の盤面を開閉する前扉とを備えるパチンコ機において、前記前扉が、前記遊技盤に該遊技盤の盤面を開閉自在に一体に取り付けられ、この前扉が取り付けられた遊技盤が、前記パチンコ機本体に着脱自在に取り付けられることを特徴とする。
【０００９】
請求項２に記載の発明は、請求項１に記載の発明において、前扉に電気部品が取り付けられ、遊技盤に搭載された制御装置と前記電気部品とを接続可能な長さに設定された配線手段が、前記制御装置若しくは電気部品、又は制御装置及び電気部品相互間に予め接続されたことを特徴とする。
【００１０】
【発明の実施の形態】
以下、本発明の実施の形態を図面に基づき説明する。なお、各図間において、同一符号は同一又は相当部分を示す。
図１は、本発明によるパチンコ機の一実施形態を示す分解斜視図である。
この図において、１はパチンコ機本体で、縦長四角形の本体枠１ａの下方側に、遊技球の発射装置（ハンドル１ｂのみ図示）や受け皿１ｃ等が取り付けられてなる。
【００１１】
遊技盤２は、上記本体１に、具体的には本体枠１ａ内の上方側の所定位置に着脱自在に取り付けられる（矢印ニ参照）。
この遊技盤２の盤面２ａの、上記ハンドル１ｂの操作により発射された遊技球（図示せず）が打ち込まれる遊技領域２ｃには、図柄表示装置２ｄ、入賞口２ｅ、アウト口２ｆ等が設けられている。
また、この遊技盤２の盤面２ａには、遊技者を引寄せあるいは楽しませるために、種々の意匠や電飾等が施されている。図示例では、遊技領域２ｃ中に星形の図案２ｂが描かれ、星形のランプ２ｇが設けられている。遊技盤２の背面には、上記図柄表示装置２ｄやランプ２ｇ等、パチンコ機各部の制御を行う制御装置２ｈが取り付けられている。
【００１２】
前扉３は、上下一対のヒンジ４，４（下部のヒンジ４は図示せず）によって遊技盤２の盤面２ａを開閉自在（矢印イ参照）に覆う扉である。この前扉３は、遊技盤２の遊技領域２ｃに対応する部分に透明ガラス板３ｃが填め込まれている。前扉３を閉じたとき、透明ガラス板３ｃが遊技盤２の少なくとも遊技領域２ｃを覆うように位置し、かつ遊技領域２ｃを開閉自在であれば、透明ガラス板３ｃを前扉３とは別体に構成してもよい。
この前扉３の枠部前面（前扉枠部前面）３ａには、遊技盤２の盤面２ａにおける意匠や電飾（図示例では図案２ｂやランプ２ｇ）等と相俟って遊技者を引寄せあるいは楽しませるための種々の意匠や電飾等が施されている。図示例では、星形の図案３ｄが描かれ、星形のランプ３ｅが設けられており、この図案３ｄ、ランプ３ｅと上記図案２ｂ、ランプ２ｇとの間で、パチンコ機前面から見たときの装飾・演出用の要素全体としての統一が図られている。
【００１３】
ここで、本発明においては、図示するように前扉３が遊技盤２に一体に取り付けられている。この場合、前扉３は、上述したように遊技盤２の盤面２ａを開閉自在に覆う構成であることに変わりない。また遊技盤２も、上述したように本体１に着脱自在に取り付けられる構成であることに変わりはなく、本発明のパチンコ機は、前扉３が一体に取り付けられた遊技盤（以下、遊技盤ユニットという。）２１が本体１に着脱自在に取り付けられる構成になっている。
【００１４】
遊技盤ユニット２１の本体１への取付け（装着）は、次のように行われる。すなわち、遊技盤２の下部に形成された凸条部２ｉを、本体１の遊技盤取付け位置の上記凸条部２ｉ対応位置に形成された凹条部１ｄ内に挿着させながら、遊技盤２上部の左右各側の遊技盤固定穴２ｊに、上記遊技盤取付け位置の遊技盤固定穴対応位置に各々設けられた回動つまみ１ｅを挿入する〔図２（ａ），（ｂ）、特に図２（ａ）中の矢印ホ参照〕。その後、各回動つまみ１ｅを時計方向に９０°回すことにより〔図２（ｂ），（ｃ）、特に図２（ｂ）中の矢印ヘ参照〕、遊技盤ユニット２１が本体１に取付固定される。
遊技盤２を本体１から取り外す手順は、上述取付作業の手順と逆になる。
【００１５】
以上のように本発明のパチンコ機は、遊技盤ユニット２１、つまり前扉３が盤面２ａを開閉自在に一体に取り付けられた遊技盤２が、本体１に着脱自在に取り付けられてなるものであり、機種入替え（新旧遊技盤交換）は、このような遊技盤ユニット２１単位で行われる。実際には、遊技盤２及び前扉３は工場内で別個に製作された後に一体に連結され、遊技盤ユニット２１として遊技場に出荷される。遊技場では、旧遊技盤ユニット（図示せず）を本体１から取り外した後、新規の遊技盤ユニット２１が上述した手順で本体１に装着される。
【００１６】
このようなパチンコ機によると、遊技盤２と前扉３が共に工場内で製作、組立されるので、遊技盤２の盤面２ａと前扉３の枠部前面３ａとの間において、意匠や電気部品等、装飾・演出効果を高めるための種々の要素の選択幅が大きい。例えば図示するように、盤面２ａに星形の図案２ｂを描き、星形のランプ２ｇを設けたときには、前扉枠部前面３ａにも星形の図案３ｄを描き、星形のランプ３ｅを設けることができ、またそれらの個数や位置等も任意に選択できるというように、装飾・演出効果を高めるための要素の選択幅が大きい。したがってこのようなパチンコ機によれば、機種入替え毎に、パチンコ機前面において斬新で統一性ないし整合性のとれた装飾・演出効果を発揮できる。
【００１７】
また、前扉３に設けられたランプ３ｅの、遊技盤２に搭載された制御装置２ｈへの配線について述べると、この配線は、遊技盤ユニット２１が本体１に取り付けられる前に、リード線やコネクタ等の配線手段（図示せず）を用いて行われる。上記ランプ３ｅの制御装置２ｈへの配線にコネクタ（図示せず）を用いる場合には、このコネクタの挿着のみを出荷先である遊技場で行うようにしてもよい。いずれにしても、リード線やコネクタ等からなる配線手段の長さは、出荷前において、制御装置２ｈとランプ３ｅとが接続可能な長さに設定され、またこの配線手段は、制御装置２ｈやランプ３ｅ、又はこれら制御装置２ｈ及びランプ３ｅ相互間に予め接続される。すなわち、出荷前に全ての、あるいは殆どの配線が行われるので、遊技盤ユニット２１を本体１に取り付ける遊技場において、遊技盤２と前扉３の間の配線作業が不要、あるいは殆ど不要となる。少なくとも配線手段の長さの設定から始める配線の変更、接続作業は不要となり、機種入替え時における配線等の現場作業が極めて簡単になる。
【００１８】
また、前扉３は継続使用し、遊技盤２のみ新規なものを使う従来技術では、前扉３のランプ３ｅ等の電気部品の仕様が、新規の遊技盤２に搭載された制御装置２ｈの仕様と異なることも少なくなく、このような場合には、機種入替えの都度、電気的な仕様を整合させるための作業をしなければならなかった。しかし、本発明によれば、工場内で遊技盤２（制御装置２ｈ）と前扉３（ランプ３ｅ）とが製作、組立されるので、換言すれば、上記電気的な仕様の整合は遊技盤ユニット２１の設計時にとられているので、遊技場においてはこの種の作業を行う必要がなくなり、この点からも、機種入替え時における現場作業が極めて簡単になる。なお、前扉３が遊技盤２に鍵（図示せず）を用いてロックできることは、従来のパチンコ機と同様である。図１中、５は上記鍵を差し込む穴、６は上記鍵によって前扉３及び遊技盤２間を施錠、解錠する錠である。
【００１９】
【発明の効果】
以上述べたように本発明によれば、前扉を、遊技盤にその盤面を開閉自在に一体に取り付け、この前扉が取り付けられた遊技盤を、パチンコ機本体に着脱自在に取り付けるようにしたので、遊技盤がパチンコ機本体に対して着脱自在のパチンコ機において、機種入替え毎に、パチンコ機前面において斬新で統一性ないし整合性のとれた装飾・演出効果を発揮できる。また、機種入替え時における配線等の現場作業が極めて簡単になる。
【図面の簡単な説明】
【図１】本発明によるパチンコ機の一実施形態を示す分解斜視図である。
【図２】図１中の遊技盤ユニットの本体への取付け手順の説明図である。
【図３】従来の遊技盤分離式のパチンコ機の概略構成図である。
【符号の説明】
１  パチンコ機本体
２  遊技盤
２ａ  盤面
２ｈ  制御装置
３  前扉
３ｅ  ランプ（電気部品）
４  ヒンジ
【図１】
2004188079.tif 000003
【図２】
2004188079.tif 000004
【図３】
2004188079.tif 000005